(57)【要約】【課題】大型化に適していて、より高い位置で支持することが可能な空気清浄装置を提供することを目的とする。【解決手段】装置本体２に脚部３を設け、この脚部３の各支柱５により装置本体２を設置面Ｇから上方に離間させて支持している。すなわち、装置本体２には、装置本体２を高い位置に支持するのに適した脚部３が設けられている。このため、装置本体２が大型であっても、装置本体２をより高い位置に安定的に支持することができる。また、装置本体２をより高い位置で支持していることから、装置本体２からの空気の吹き出し方向の自由度が高くなり、装置本体２から吹き出した空気がより遠方に到達し易く、室内の空気を効率的に環流させることができる。更に、装置本体２を室の壁に取付ける等の設置工事を必要とせず、空気清浄装置１を容易に設置することができる。【選択図】図１
2015194625.tif 000002
【特許請求の範囲】
【請求項１】
空気清浄装置の本体と、
前記本体に設けられた脚部とを備え、
前記脚部は、前記本体を該本体の設置面から上方に離間させて支持する支柱を有することを特徴とする空気清浄装置。
【請求項２】
請求項１に記載の空気清浄装置であって、
前記支柱は、前記本体と前記設置面との間に画像処理装置の配置スペースを形成することを特徴とする空気清浄装置。
【請求項３】
請求項２に記載の空気清浄装置であって、
前記支柱は、前記画像処理装置の背面側に配置されたことを特徴とする空気清浄装置。
【請求項４】
請求項１から３のいずれか１つに記載の空気清浄装置であって、
前記支柱は、中空であって、前記空気清浄装置に係わる電力又は信号の伝送ケーブルが通されたことを特徴とする空気清浄装置。
【請求項５】
請求項１から４のいずれか１つに記載の空気清浄装置であって、
前記本体は、
外部の空気を吸引して排気するファンと、
前記ファンから排気された空気の流れを複数の空気流路に分岐させて、空気を前記各空気流路から外部へと吹き出すダクトと、
前記各空気流路に設けられたそれぞれのイオン発生部とを有することを特徴とする空気清浄装置。
【請求項６】
請求項５に記載の空気清浄装置であって、
前記各空気流路は、空気を吹き出すそれぞれの排気口を有しており、前記各排気口からの空気の吹き出し方向が互いに異なることを特徴とする空気清浄装置。
【請求項７】
請求項１から６のいずれか１つに記載の空気清浄装置であって、
前記支柱に、前記設置面からの前記本体の設置高さを調節する高さ調節部を設けたことを特徴とする空気清浄装置。
【請求項８】
請求項２又は３に記載の空気清浄装置であって、
前記画像処理装置は、無線を通じて前記空気清浄装置を制御することを特徴とする空気清浄装置。
【請求項９】
外部の空気を吸引して排気するファンと、
前記ファンから排気された空気の流れを複数の空気流路に分岐させて、空気を前記各空気流路から外部へと吹き出すダクトと、
前記各空気流路に設けられたそれぞれのイオン発生部とを有することを特徴とする空気清浄装置。
【請求項１０】
空気清浄装置と、画像処理装置とを備えた画像処理システムであって、
前記空気清浄装置は、該空気清浄装置の本体と、前記本体に設けられた脚部とを備え、
前記脚部は、前記本体を該本体の設置面から上方に離間させて支持する支柱をし、
前記支柱は、前記本体と前記設置面との間に画像処理装置の配置スペースを形成することを特徴とする画像処理システム。
【請求項１１】
請求項１０に記載の画像処理システムであって、
前記支柱は、前記画像処理装置の背面側に配置されたことを特徴とする画像処理システム。
【請求項１２】
請求項１０又は１１に記載の画像処理システムであって、
前記画像処理装置は、無線を通じて前記空気清浄装置を制御することを特徴とする画像処理システム。
【発明の詳細な説明】
【技術分野】
【０００１】
本発明は、室内の空気を浄化する空気清浄装置及びそれを備える画像処理システムに関する。
【背景技術】
【０００２】
例えば、特許文献１では、画像形成装置に対して支持部材を上向きに突設し、この支持部材によりイオン発生手段を画像形成装置の上方に支持し、イオン発生手段からイオンを放出している。
【０００３】
また、特許文献２では、画像形成装置の背面に支柱を突設し、支柱の上端に空気清浄装置を支持して、空気清浄装置から浄化された空気を吹き出している。
【０００４】
このような特許文献１、２では、画像形成装置に空気清浄装置を付設していることから、空気清浄装置の設置スペースを必要とせず、画像形成装置の設置スペースだけを確保すればよいなどの利点がある。
【先行技術文献】
【特許文献】
【０００５】
【特許文献１】特開２０１０−１８１７９０号公報
【特許文献２】特開２０１１−８１３０８号公報
【発明の概要】
【発明が解決しようとする課題】
【０００６】
ところで、空気清浄装置が設置される室内が広くなるほど、空気清浄装置を大型化して、空気清浄装置からの風量を増大させるのが好ましい。
【０００７】
また、空気清浄装置をより高い位置で支持した方が、空気清浄装置からの空気の吹き出し方向の自由度が高くなり、空気清浄装置から吹き出した空気がより遠方に到達し易くて、室内の空気を効率的に環流させることができる。
【０００８】
しかしながら、特許文献１、２のように画像形成装置に支持部材又は支柱を介して空気清浄装置を支持した構成では、空気清浄装置の大型化や設置高さに限界がある。仮に、空気清浄装置を大型化したり設置高さを高くしたりすると、画像形成装置の本体の設置安定性が低下する。
【０００９】
そこで、本発明は、上記従来の問題点に鑑みなされたものであり、大型化に適していて、より高い位置で支持することが可能な空気清浄装置及びそれを備える画像処理システムを提供することを目的とする。
【課題を解決するための手段】
【００１０】
上記課題を解決するために、本発明の空気清浄装置は、空気清浄装置の本体と、前記本体に設けられた脚部とを備え、前記脚部は、前記本体を該本体の設置面から上方に離間させて支持する支柱を有している。
【００１１】
このような本発明の空気清浄装置では、空気清浄装置の本体に脚部を設け、この脚部の支柱により空気清浄装置の本体を設置面から上方に離間させて支持している。すなわち、空気清浄装置には、その本体を高い位置に支持するのに適した脚部が設けられている。このため、空気清浄装置の本体が大型であっても、本体をより高い位置に安定的に支持することができる。また、空気清浄装置の本体をより高い位置で支持していることから、本体からの空気の吹き出し方向の自由度が高くなり、本体から吹き出した空気がより遠方に到達し易くて、空気を効率的に環流させることができる。更に、空気清浄装置の本体を室の壁に取付ける等の設置工事を必要とせず、空気清浄装置を容易に設置することができる。
【００１２】
また、本発明の空気清浄装置においては、前記支柱は、前記本体と前記設置面との間に画像処理装置の配置スペースを形成している。
【００１３】
この場合は、空気清浄装置の本体と設置面との間に画像処理装置を配置したり、空気清浄装置の本体を画像処理装置の背面側に配置したりすることができ、更には空気清浄装置の設置スペースを画像処理装置の設置スペースの少なくとも一部に重ね合わせて、省スペース化を図ることができる。
【００１４】
また、空気清浄装置の本体を画像処理装置の上方及び背面側に設けることで、画像処理装置から排出されたガスの浄化を図ることができる。
【００１５】
更に、本発明の空気清浄装置においては、前記支柱は、前記画像処理装置の背面側に配置されている。
【００１６】
この場合は、空気清浄装置が画像処理装置に近づく方向に倒れようとしても、脚部の支柱が画像処理装置に突き当たるため、空気清浄装置がその方向に倒れることがない。更に、空気清浄装置の支柱を画像処理装置と室の壁との間に挟み込んだ状態では、空気清浄装置が画像処理装置及び壁のいずれの側にも倒れることがない。
【００１７】
更に、本発明の空気清浄装置においては、前記支柱は、中空であって、前記空気清浄装置に係わる電力又は信号の伝送ケーブルが通されている。
【００１８】
この場合は、空気清浄装置の本体が高い位置に支持されても、電力又は信号の伝送ケーブルの配線が容易となる。
【００１９】
また、本発明の空気清浄装置においては、前記本体は、外部の空気を吸引して排気するファンと、前記ファンから排気された空気の流れを複数の空気流路に分岐させて、空気を前記各空気流路から外部へと吹き出すダクトと、前記各空気流路に設けられたそれぞれのイオン発生部とを有している。
【００２０】
このようにファンから排気された空気の流れを複数の空気流路に分岐させ、各空気流路にそれぞれのイオン発生部を設けた場合は、各空気流路のいずれにおいてもイオン発生部の能力が無駄なく発揮されて、イオンを効率的に生成することができ、各空気流路から外部へとより多くのイオンを放出することができる。
【００２１】
更に、本発明の空気清浄装置においては、前記各空気流路は、空気を吹き出すそれぞれの排気口を有しており、前記各排気口からの空気の吹き出し方向が互いに異なる。
【００２２】
この場合は、浄化された空気が空気清浄装置から広範囲に吹き出されて、空気が効率的に環流する。
【００２３】
また、本発明の空気清浄装置においては、前記支柱に、前記設置面からの前記本体の設置高さを調節する高さ調節部を設けている。
【００２４】
この場合は、空気清浄装置の設置状況に応じて空気清浄装置の本体の高さを適確に設定することができる。
【００２５】
更に、本発明の空気清浄装置においては、前記画像処理装置は、無線を通じて前記空気清浄装置を制御している。
【００２６】
この場合は、空気清浄装置の本体が高い位置に支持されていても、あるいは空気清浄装置の本体が画像処理装置の背面側に配置されていても、画像処理装置の操作により空気清浄装置の本体を容易に制御することが可能になる。また、画像処理装置と空気清浄装置とを有線で接続した構成と比較して、画像処理装置及び空気清浄装置を個別に自在に移動させることができ、画像処理装置及び空気清浄装置のいずれについてもメンテナンスが容易である。
【００２７】
次に、本発明の空気清浄装置は、外部の空気を吸引して排気するファンと、前記ファンから排気された空気の流れを複数の空気流路に分岐させて、空気を前記各空気流路から外部へと吹き出すダクトと、前記各空気流路に設けられたそれぞれのイオン発生部とを有している。
【００２８】
このような本発明の空気清浄装置では、ファンから排気された空気の流れを複数の空気流路に分岐させ、各空気流路にそれぞれのイオン発生部を設けている。このため、各空気流路のいずれにおいてもイオン発生部の能力が無駄なく発揮されて、イオンを効率的に生成することができ、各空気流路から外部へとより多くのイオンを放出することができる。
【００２９】
次に、本発明の画像処理システムは、空気清浄装置と、画像処理装置とを備えた画像処理システムであって、前記空気清浄装置は、該空気清浄装置の本体と、前記本体に設けられた脚部とを備え、前記脚部は、前記本体を該本体の設置面から上方に離間させて支持する支柱を有し、前記支柱は、前記本体と前記設置面との間に画像処理装置の配置スペースを形成している。
【００３０】
このような本発明の画像処理システムでは、空気清浄装置の本体には、その本体を高い位置に支持するのに適した脚部が設けられている。このため、空気清浄装置の本体が大型であっても、本体をより高い位置に安定的に支持することができる。また、空気清浄装置の本体をより高い位置で支持していることから、本体からの空気の吹き出し方向の自由度が高くなり、本体から吹き出した空気がより遠方に到達し易くて、空気を効率的に環流させることができる。更に、空気清浄装置の本体を室の壁に取付ける等の設置工事を必要とせず、空気清浄装置を容易に設置することができる。
【００３１】
また、空気清浄装置の本体と設置面との間に画像処理装置を配置したり、空気清浄装置の本体を画像処理装置の背面側に配置したりすることができ、更には空気清浄装置の設置スペースを画像処理装置の設置スペースの少なくとも一部に重ね合わせて、省スペース化を図ることができる。
【００３２】
また、空気清浄装置の本体を画像処理装置の上方及び背面側に設けることで、画像処理装置から排出されたガスの浄化を図ることができる。
【００３３】
また、本発明の画像処理システムにおいては、前記支柱は、前記画像処理装置の背面側に配置されている。
【００３４】
この場合は、空気清浄装置が画像処理装置に近づく方向に倒れることがない。また、空気清浄装置の支柱を画像処理装置の背面と室の壁との間に挟み込んだ状態では、空気清浄装置が画像処理装置及び壁のいずれの側にも倒れることがない。
【００３５】
更に、本発明の画像処理システムにおいては、前記画像処理装置は、無線を通じて前記空気清浄装置を制御している。
【００３６】
この場合は、空気清浄装置の本体が高い位置に支持されていても、あるいは空気清浄装置の本体が画像処理装置の背面側に配置されていても、画像処理装置の操作により空気清浄装置の本体を容易に制御することが可能になる。また、画像処理装置と空気清浄装置とを有線で接続した構成と比較して、画像処理装置及び空気清浄装置を個別に自在に移動させることができ、画像処理装置及び空気清浄装置のいずれについてもメンテナンスが容易である。
【発明の効果】
【００３７】
本発明では、空気清浄装置の本体に脚部を設け、この脚部の支柱により空気清浄装置の本体を設置面から上方に離間させて支持している。すなわち、空気清浄装置には、その本体を高い位置に支持するのに適した脚部が設けられている。このため、空気清浄装置の本体が大型であっても、本体をより高い位置に安定的に支持することができる。また、空気清浄装置の本体をより高い位置で支持していることから、本体からの空気の吹き出し方向の自由度が高くなり、本体から吹き出した空気がより遠方に到達し易くて、空気を効率的に環流させることができる。更に、空気清浄装置の本体を室の壁に取付ける等の設置工事を必要とせず、空気清浄装置を容易に設置することができる。
【図面の簡単な説明】
【００３８】
【図１】本発明の第１実施形態である空気清浄装置を示す斜視図である。
【図２】図１の空気清浄装置を示す側面図である。
【図３】図１のＡ−Ａに沿って空気清浄装置の装置本体を破断して側方から視て示す側面図である。
【図４】図２のＢ−Ｂに沿って空気清浄装置の装置本体を破断して背面側から視て示す断面図である。
【図５】本発明の第２実施形態である空気清浄装置の装置本体を破断して背面側から視て示す断面図である。
【図６】本発明の第３実施形態である画像処理システムを示す断面図である。
【図７】第３実施形態の画像処理システムを示す側面図である。
【図８】第３実施形態の画像処理システムの構成を示すブロック図である。
【図９】本発明の第４実施形態である画像処理システムを示す側面図である。
【図１０】第４実施形態の画像処理システムの構成を示すブロック図である。
【発明を実施するための形態】
【００３９】
以下、本発明の実施形態を添付図面を参照して説明する。
【００４０】
［第１実施形態］
図１は、本発明の第１実施形態である空気清浄装置１を示す斜視図である。また、図２は、第１実施形態の空気清浄装置１を示す側面図である。更に、図３は、図１のＡ−Ａに沿って第１実施形態の空気清浄装置１の装置本体２を破断して側方から視て示す側面図であり、また図４は、図２のＢ−Ｂに沿って第１実施形態の空気清浄装置１の装置本体２を破断して背面側から視て示す断面図である。
【００４１】
図１〜図４に示すように第１実施形態の空気清浄装置１は、装置本体２と、装置本体２の底部２ａに設けられた脚部３とを備えている。脚部３は、空気清浄装置１の設置面Ｇに配された基台４と、基台４に対して上向きに突設された２本の支柱５とを有しており、各支柱５の上端部を装置本体２の底部２ａに連結して、装置本体２を設置面Ｇより離間した高い位置に支持している。
【００４２】
基台４は、上方から視てくの字型の２つの台部４ａと、各台部４ａの間に掛け渡されて、該各台部４ａを接続するブリッジ部４ｂとを有している。ブリッジ部４ｂの両端部が接続された各台部４ａの接続箇所に上向きの各孔が形成されており、これらの孔に各支柱５の下端部が嵌合されて固定され、各支柱５が設置面Ｇに対して垂直に立てられて支持されている。また、装置本体２の筐体１１の底部両側には、下向きの各凹所１１ａが形成されており、これらの凹所１１ａに各支柱５の上端部が嵌合されて固定され、各支柱５の上端部が装置本体２の底部２ａに連結されている。従って、基台４により各支柱５が垂直に支持され、各支柱５の上端部が装置本体２に連結されて、装置本体２が高い位置に支持されている。
【００４３】
また、各支柱５は、中空の円筒状のものであって、一方の下端から上端へと電力ケーブル（図示せず）が通され、この電力ケーブルを通じて装置本体２に電力が供給されている。尚、電力ケーブルの他に、信号等を伝送する他の種類のケーブルを支柱５に通しても構わない。
【００４４】
装置本体２は、筐体１１と、シロッコファン１２と、ダクト１３と、第１ルーバー１４と、第２ルーバー１５と、２つのイオン発生器１６と、フィルター１７と、モータ１８とを備えている。この装置本体２の筐体１１の上部には、上方に向く第１排気口１１ｂが形成されており、この第１排気口１１ｂの外側に第１ルーバー１４が設けられている。更に、筐体１１の上部の後側壁部１１ｃには、後方に向く第２排気口１１ｄが形成されており、この第２排気口１１ｄの内側に第２ルーバー１５が設けられている。
【００４５】
第１ルーバー１４及び第２ルーバー１５は、同一軸を中心にして回転可能にかつ一体的に支持されており、モータ又は電動アクチュエータ（図示せず）により第１ルーバー１４及び第２ルーバー１５が回転されて、第１ルーバー１４により第１排気口１１ｂが開閉され、同時に第２ルーバー１５により第２排気口１１ｄが開閉される。
【００４６】
また、筐体１１の背板１１ｅには、多数のスリット（図示せず）が形成され、背板１１ｅの内側にフィルター１７が重ねて設けられて、フィルター１７により各スリットが覆われている。
【００４７】
ダクト１３は、筐体１１の内側に設けられており、外周壁部１３ａと、前壁部１３ｂと、後壁部１３ｃと、隔壁１３ｄとを有している。このダクト１３の内側には、スクロール空間１３ｅと、隔壁１３ｄにより区分された２本の空気流路１３ｆ、１３ｇとが形成されている。前壁部１３ｂには、モータ１８が固定され、モータ１８の軸がシロッコファン１２の回転中心に接続固定されている。後壁部１３ｃには、シロッコファン１２と略同一径の開口部が形成されており、シロッコファン１２がダクト１３の内側のスクロール空間１３ｅに配置されて後壁部１３ｃのその開口部を臨んでいる。
【００４８】
また、各空気流路１３ｆ、１３ｇには、それぞれのイオン発生器１６が配置されている。各イオン発生器１６は、例えばプラズマクラスターイオン（登録商標）発生素子（ＰＣＩ）である。各イオン発生器１６は、負イオン及び正イオンを空気中に発生する２個のイオン発生素子を有している。このイオン発生素子については、本願の出願人が先に出願した特開２００２−５８７３１号に開示されている。尚、各イオン発生器１６として他の種類のものを適用しても構わない。
【００４９】
このような装置本体２の使用に際しては、第１ルーバー１４及び第２ルーバー１５が一体的に回転されて、第１排気口１１ｂ及び第２排気口１１ｄが開成される。この状態で、モータ１８が駆動されて、シロッコファン１２が回転されると、外部の空気が筐体１１の背板１１ｅの各スリット→フィルター１７→ダクト１３の後壁部１３ｃの開口部→シロッコファン１２の内側へと吸引される。そして、この吸引された空気は、シロッコファン１２からダクト１３のスクロール空間１３ｅへと排出され、各空気流路１３ｆ、１３ｇを通じて第１排気口１１ｂ及び第２排気口１１ｄから外部へと吹き出される。また、同時に各イオン発生器１６が駆動されて、各イオン発生器１６により各空気流路１３ｆ、１３ｇの空気中にイオンが発生される。
【００５０】
ここで、空気がフィルター１７を通過するときには、フィルター１７により空気中の浮遊物が吸着除去される。また、空気が各空気流路１３ｆ、１３ｇを通過するときには、各イオン発生器１６により空気中に正イオン及び負イオンが発生される。これにより、空気が浄化され、この浄化された空気が第１排気口１１ｂ及び第２排気口１１ｄから外部へと吹き出される。
【００５１】
また、浄化された空気が第１排気口１１ｂから吹き出されるときには、第１ルーバー１４により空気の吹き出し方向が装置本体２の前方斜め上の方向に規制され、また浄化された空気が第２排気口１１ｄから吹き出されるときには、第２ルーバー１５により空気の吹き出し方向が装置本体２の後方斜め上の方向に規制される。更に、装置本体２は、各支柱５により設置面Ｇより離間した高い位置に支持されている。従って、浄化された空気は、高い位置の装置本体２から前方斜め上の方向と後方斜め上の方向とに吹き出されて、室内の広い範囲に環流し、この空気に含まれる正イオン及び負イオンにより室内の空気中の浮遊細菌が効果的に除去される。
【００５２】
また、空気の流れを各空気流路１３ｆ、１３ｇに分岐させ、各空気流路１３ｆ、１３ｇにそれぞれのイオン発生器１６を設けている。これにより、各空気流路１３ｆ、１３ｇの空気の流量を略均等にして、各空気流路１３ｆ、１３ｇにおけるイオンの発生量に偏りが生じないようにすることができ、更には各空気流路１３ｆ、１３ｇのいずれにおいてもイオン発生器１６の能力を無駄なく発揮して、イオンを効率的に生成することができ、各空気流路１３ｆ、１３ｇから外部へとより多くのイオンを放出することが可能になる。
【００５３】
また、第１実施形態の空気清浄装置１では、装置本体２に脚部３を設け、この脚部３の各支柱５により装置本体２を設置面Ｇから上方に離間させて支持している。すなわち、装置本体２には、装置本体２を高い位置に支持するのに適した脚部３が設けられている。このため、装置本体２が大型であっても、装置本体２をより高い位置に安定的に支持することができる。また、装置本体２をより高い位置で支持していることから、装置本体２からの空気の吹き出し方向の自由度が高くなり、装置本体２から吹き出した空気がより遠方に到達し易く、室内の空気を効率的に環流させることができる。更に、装置本体２を室の壁に取付ける等の設置工事を必要とせず、空気清浄装置１を容易に設置することができる。
【００５４】
更に、各支柱５の一方の下端から上端へと電力ケーブル（図示せず）を通して、この電力ケーブルを通じて装置本体２に電力を供給しているので、装置本体２が高い位置に支持されていても、電力ケーブルの配線が容易である。
【００５５】
尚、第１実施形態の空気清浄装置１の装置本体２は、イオン発生器１６及びフィルター１７を共に有しているが、それらの一方を省略しても構わない。イオン発生器１６を省略しても、フィルター１７により空気中の浮遊物を吸着除去することができる。また、フィルター１７を省略しても、イオン発生器１６により発生された正イオン及び負イオンにより空気中の浮遊細菌を除去することができる。従って、イオン発生器１６及びフィルター１７のいずれか一方だけでも、空気清浄装置１としての機能を果すことができる。
【００５６】
［第２実施形態］
図５は、本発明の第２実施形態である空気清浄装置１の装置本体２Ａを破断して背面側から視て示す断面図である。尚、図５において、図４と同様の作用を果す部位には同じ符号を付す。
【００５７】
図５に示すように第２実施形態の装置本体２Ａでは、筐体１１におけるフィルター１７（図３に示す）両側に空きスペースを設けて、この両側の空きスペースに筐体１１の底部から上部まで縦方向に通るそれぞれの筒体１１ｇを設けている。各支柱５は、各筒体１１ｇに挿脱自在に通されて、任意の位置で該各筒体１１ｇに固定されている。例えば、各支柱５を任意の位置まで各筒体１１ｇに通して、各筒体１１ｇの外側から該各筒体１１ｇの内側の各支柱５へと食い込むそれぞれのネジ（図示せず）をねじ込んで、各支柱５を各筒体１１ｇに固定している。これにより、装置本体２Ａの底部２ａからの各支柱５の突出長さを調節して、設置面Ｇからの装置本体２Ａの設置高さを適宜に設定することができる。
【００５８】
［第３実施形態］
図６は、本発明の第３実施形態である画像処理システムＳｙを示す断面図である。また、図７は、第３実施形態の画像処理システムＳｙを示す側面図である。
【００５９】
図６及び図７に示すように第３実施形態の画像処理システムＳｙは、画像形成装置２１と、画像形成装置２１の背面側に配置された空気清浄装置１とを備えている。画像形成装置２１及び空気清浄装置１は、次に説明するとおりのものである。
【００６０】
まず、画像形成装置２１は、原稿読取装置２２、原稿搬送装置２３、印刷部２４、及び給紙カセット２５等を備えている。この画像形成装置２１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部２４においては、現像装置３２、感光体ドラム３３、ドラムクリーニング装置３４、及び帯電装置３５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００６１】
各画像ステーションＰａ、Ｐｂ、Ｐｃ、Ｐｄのいずれにおいても、ドラムクリーニング装置３４により感光体ドラム３３表面の残留トナーを除去及び回収した後、帯電装置３５により感光体ドラム３３表面を所定の電位に均一に帯電させ、光走査装置３１により感光体ドラム３３表面を露光して、その表面に静電潜像を形成し、現像装置３２により感光体ドラム３３表面の静電潜像を現像して、感光体ドラム３３表面にトナー像を形成する。これにより、各感光体ドラム３３表面に各色のトナー像が形成される。
【００６２】
引き続いて、中間転写ベルト３６を矢印方向Ｃに周回移動させつつ、ベルトクリーニング装置３７により中間転写ベルト３６の残留トナーを除去及び回収した後、各感光体ドラム３３表面の各色のトナー像を中間転写ベルト３６に順次転写して重ね合わせ、中間転写ベルト３６上にカラーのトナー像を形成する。
【００６３】
中間転写ベルト３６と２次転写装置３８の２次転写ローラ３８ａとの間にはニップ域が形成されており、用紙搬送経路Ｒ１を通じて搬送されて来た記録用紙をそのニップ域に挟み込んで搬送しつつ、中間転写ベルト３６表面のカラーのトナー像を記録用紙上に転写する。そして、定着装置４１の加熱ローラ４２と加圧ローラ４３との間に記録用紙を挟み込んで加熱及び加圧し、記録用紙上のカラーのトナー像を定着する。
【００６４】
また、記録用紙は、ピックアップローラ４４により給紙カセット２５から引き出されて、用紙搬送経路Ｒ１を通じて搬送され、２次転写装置３８や定着装置４１を経由し、排紙ローラ４５を介して排紙トレイ４６へと搬出される。この用紙搬送経路Ｒ１には、記録用紙を一旦停止させて、記録用紙の先端を揃えた後、中間転写ベルト３６と２次転写ローラ３８ａ間のニップ域でのカラーのトナー像の転写タイミングに合わせて記録用紙の搬送を開始するレジストローラ４７、記録用紙の搬送を促す各搬送ローラ４８、排紙ローラ４５等が配置されている。
【００６５】
更に、記録用紙の表面だけではなく、裏面に画像形成を行う場合は、記録用紙を排紙ローラ４５から反転経路Ｒｒへと逆方向に搬送して、記録用紙の表裏を反転させ、記録用紙をレジストローラ４７へと再度導き、記録用紙の表面と同様に、記録用紙の裏面に画像を記録して定着し、記録用紙を排紙トレイ４６へと排出する。
【００６６】
次に、空気清浄装置１は、第１実施形態の空気清浄装置１と同様に、装置本体２と、装置本体２の底部２ａに設けられた脚部３とを備え、脚部３の各支柱５により装置本体２を設置面Ｇより離間した高い位置に支持している。
【００６７】
先に述べたように脚部３は、装置本体２を高い位置に支持するのに適している。このため、装置本体２と設置面Ｇとの間に画像形成装置２１の設置スペースを形成して、この設置スペースに画像形成装置２１を配置し、装置本体２を画像形成装置２１の背面側に配置することができる。また、空気清浄装置１の設置スペースを画像形成装置２１の設置スペースの少なくとも一部に重ね合わせて、省スペース化を図ることができる。
【００６８】
また、空気清浄装置１の装置本体２を画像形成装置２１の上方及び背面側に設けることで、画像形成装置２１から排出されたガスの浄化を図ることができる。例えば、電子写真方式の画像形成装置２１では、オゾンなどのガスが生じることから、通常は、画像形成装置２１の内部の換気に際し、空気を画像形成装置２１に内蔵のフィルターに通して、空気中のガスを除去してから、空気を画像形成装置２１の外部へと排出しているが、それでもガスが画像形成装置２１の外部に漏れ出すことがある。ところが、装置本体２を画像形成装置２１の上方及び背面側に設けているため、装置本体２の各イオン発生器１６により発生されて、装置本体２から排出された正イオン及び負イオンによりオゾン等のガスを分解して低減させることができる。
【００６９】
また、装置本体２だけではなく、脚部３の各支柱５も画像形成装置２１の背面側に配置している。このため、空気清浄装置１が画像形成装置２１に近づく方向に倒れようとしても、各支柱５が画像形成装置２１に突き当たり、空気清浄装置１がその方向に倒れることがない。更に、空気清浄装置１の各支柱５を画像形成装置２１と室の壁（図示せず）との間に挟み込んだ状態では、空気清浄装置１が画像形成装置２１及び壁のいずれの側にも倒れることがない。
【００７０】
ところで、仮に、空気清浄装置１の装置本体２を、該装置本体２に設けられた操作部のみにより操作するならば、装置本体２を画像形成装置２１の上方及び背面側に配置した状態では、装置本体２の操作が困難になる。
【００７１】
そこで、第２実施形態の画像処理システムＳｙでは、空気清浄装置１の装置本体２と画像形成装置２１とを無線ＬＡＮ（例えばＷｉＦｉ）を通じて接続し、画像形成装置２１により無線ＬＡＮを通じて装置本体２を操作することができるようにしている。
【００７２】
図８は、第３実施形態の画像処理システムＳｙの構成を示すブロック図である。図８に示すように画像形成装置２１は、この画像形成装置２１全体の制御を司る制御部５１、原稿読取装置２２、原稿搬送装置２３、印刷部２４、記憶装置５２、画像処理部５３、無線通信部５４、及び利用者により操作される入力操作部５５等を備えている。
【００７３】
制御部５１は、ＣＰＵ（Central Processing Unit）、各種のプログラム等を記憶したＲＯＭ（Read Only Memory）、及びＣＰＵのワークエリアとして用いられるＲＡＭ（Random Access Memory）等からなり、ＣＰＵによりプログラムを実行して、画像形成装置２１全体を制御する。
【００７４】
また、制御部５１は、無線通信部５４及び無線ＬＡＮ（Local Area Network）５７を通じて空気清浄装置１の装置本体２に接続され、この装置本体２をも制御することができる。
【００７５】
記憶装置５２は、ハードディスク装置等であり、各種のデータやプログラム等を記憶したり、原稿読取装置２２により読取られた原稿の画像や外部から受信した画像を記憶したりする。画像処理部５３は、記憶装置５２に記憶されている画像に各種の処理を施す。
【００７６】
印刷部２４は、図６に示す光走査装置３１、各現像装置３２、各感光体ドラム３３、各ドラムクリーニング装置３４、各帯電装置３５、中間転写ベルト３６、ベルトクリーニング装置３７、２次転写装置３８、及び定着装置４１等からなり、記憶装置５２に記憶されている画像を記録用紙に印刷する。
【００７７】
入力操作部５５は、液晶表示装置等からなる表示部、表示部の画面に重ねられたタッチパネル、及び各種の操作キー等からなり、画像形成装置２１及び空気清浄装置１の操作案内や表示キー等を表示部の画面に表示し、タッチパネルを通じて画面上の表示キーのタッチ操作を検出したり、操作キーの操作を検出したりして、利用者によるキー操作に応じた入力指示を制御部５１に出力する。
【００７８】
一方、空気清浄装置１の装置本体２は、この空気清浄装置１全体の制御を司る制御部６１、シロッコファン１２を回転させるモータ１８、各イオン発生器１６、及び無線通信部６２等を備えている。
【００７９】
制御部６１は、ＣＰＵ、各種のプログラム等を記憶したＲＯＭ、及びＣＰＵのワークエリアとして用いられるＲＡＭ等からなり、ＣＰＵによりプログラムを実行して、空気清浄装置１の装置本体２全体を制御する。
【００８０】
また、制御部６１は、無線通信部６２及び無線ＬＡＮ５７を通じて画像形成装置２１に接続され、画像形成装置２１の制御部５１と協働して、この装置本体２を制御する。
【００８１】
このような構成の画像処理システムＳｙにおいて、利用者は、画像形成装置２１の入力操作部５５を操作することにより空気清浄装置１の動作状態を入力指示することができる。例えば、入力操作部５５では、空気清浄装置１の操作案内や表示キー等が表示部の画面に表示され、タッチパネルを通じて画面上の表示キーがタッチ操作されたり、操作キーが操作されたりして、装置本体２（モータ１８）の起動、停止、及び各イオン発生器１６のオンオフ等の動作状態が入力指示される。この入力操作部５５での入力指示に応答して制御部５１は、装置本体２の動作状態を示す制御信号を生成して、この制御信号を無線通信部５４及び無線ＬＡＮ５７を通じて装置本体２に送信する。
【００８２】
空気清浄装置１の装置本体２では、画像形成装置２１からの制御信号を無線通信部６２で受信して制御部６１に入力する。制御部６１は、この制御信号によって示される空気清浄装置１の動作状態を判定し、この判定した動作状態を設定するべく、装置本体２（モータ１８）の起動、停止、及び各イオン発生器１６のオンオフ等を実行する。
【００８３】
従って、画像形成装置２１の入力操作部５５を操作することにより空気清浄装置１の装置本体２を制御することができる。このため、装置本体２が画像形成装置２１の上方及び背面側に配置されていても、装置本体２を容易に制御することができる。
【００８４】
また、空気清浄装置１の装置本体２と画像形成装置２１とは、無線ＬＡＮ５７を通じて接続されているので、有線ＬＡＮを通じて接続した構成と比較すると、装置本体２及び画像形成装置２１を個別に自在に移動させることができ、装置本体２及び画像形成装置２１のいずれについてもメンテナンスが容易である。
【００８５】
尚、第３実施形態では、画像形成装置２１の入力操作部５５の操作に応答して空気清浄装置１の装置本体２を制御しているが、画像形成装置２１の動作状態に連動して空気清浄装置１の装置本体２を制御しても構わない。例えば、画像形成装置２１が停止状態のときには空気清浄装置１の装置本体２を停止状態に設定し、画像形成装置２１が起動されると装置本体２を起動するようにしても構わない。
【００８６】
また、画像形成装置２１と空気清浄装置１の装置本体２とが一対一の関係でなくても構わない。例えば、複数の画像形成装置２１により無線ＬＡＮ５７を通じて１つの空気清浄装置１の装置本体２を制御したり、１つの画像形成装置２１により無線ＬＡＮ５７を通じて複数の装置本体２を制御したりしてもよい。
【００８７】
［第４実施形態］
図９は、本発明の第４実施形態である画像処理システムＳｙＡを示す側面図である。尚、図９において、図６及び図７と同様の作用を果す部位には同じ符号を付す。
【００８８】
図９に示すように第４実施形態の画像処理システムＳｙＡは、パーソナルコンピュータ（以下ＰＣと称す）７１と、ＰＣ７１の背面側に配置された空気清浄装置１と、画像形成装置２１（図９に示さず）とを備えている。空気清浄装置１は、第１実施形態の空気清浄装置１と同様に、装置本体２と、脚部３とを備え、脚部３の各支柱５により装置本体２を設置面Ｇより離間した高い位置に支持している。
【００８９】
また、ＰＣ７１は、机７２上に載せられて、空気清浄装置１の装置本体２と設置面Ｇとの間に形成された設置スペースに配置されている。このＰＣ７１は、無線ＬＡＮ５７を通じて空気清浄装置１の装置本体２を制御したり、印刷ジョブを無線ＬＡＮ５７を通じて画像形成装置２１に送信したりする。
【００９０】
図１０は、第４実施形態の画像処理システムＳｙＡの構成を示すブロック図である。尚、図１０において、図８と同様の作用を果す部位には同じ符号を付す。
【００９１】
第４実施形態の画像処理システムＳｙＡにおいて、空気清浄装置１は、図８の空気清浄装置１と同様の構成である。また、画像形成装置２１も、図８の画像形成装置２１と同様の構成である。
【００９２】
ＰＣ７１は、制御部７３、記憶装置７４、無線通信部７５、表示装置７６、及び入力操作部（キーボードやマウス）７７等を備えている。制御部７３は、ＣＰＵ、ＣＰＵにより実行される各種のプログラム等を記憶したＲＯＭ、及びＣＰＵのワークエリアとして用いられるＲＡＭ等からなり、ＣＰＵによりプログラムを実行し、各種のデータ処理を行う。例えば、制御部７３は、入力操作部７７の入力操作に応答して印刷対象の画像を記憶装置７４から読み出して表示装置７６の画面に表示し、記憶装置７４からプリンタドライバのアプリケーションプログラムを読み出して実行して、プリンタドライバ７３ａにより印刷対象の画像等を示す印刷ジョブを生成し、この印刷ジョブを無線通信部７５から無線ＬＡＮ５７を通じて画像形成装置２１へと送信する。
【００９３】
画像形成装置２１では、ＰＣ７１からの印刷ジョブを無線通信部５４で受信して記憶装置５２に記憶し、制御部５１又は画像処理部５３により記憶装置５２内の印刷ジョブを解析して、印刷対象の画像を取得し、この画像を印刷部２４で記録用紙に印刷形成し、記録用紙を出力する。
【００９４】
また、ＰＣ７１により無線ＬＡＮ５７を通じて空気清浄装置１の装置本体２を操作する場合は、制御部７３は、記憶装置７４から空気清浄装置１のドライバのアプリケーションプログラムを読み出して実行し、空気清浄装置１の操作案内を表示装置７６の画面に表示し、入力操作部７７の入力操作により空気清浄装置１の装置本体２（モータ１８）の起動、停止、及び各イオン発生器１６のオンオフ等の動作状態が入力指示されると、この入力指示に応答して装置本体２の動作状態を示す制御信号を生成して、この制御信号を無線通信部７５及び無線ＬＡＮ５７を通じて画像形成装置２１に送信する。
【００９５】
空気清浄装置１の装置本体２では、ＰＣ７１からの制御信号を無線通信部６２で受信して制御部６１に入力する。制御部６１は、この制御信号によって示される空気清浄装置１の動作状態を判定し、この判定した動作状態を設定するべく、装置本体２（モータ１８）の起動、停止、及び各イオン発生器１６のオンオフ等を実行する。
【００９６】
従って、ＰＣ７１の入力操作部７７を操作することにより空気清浄装置１の装置本体２を制御することができる。このため、装置本体２が高い位置に支持されていても、あるいは装置本体２がＰＣ７１の背面側に配置されていても、装置本体２を容易に操作することができる。
【００９７】
尚、第４実施形態では、ＰＣ７１を例示しているが、ＰＣ７１の代わりに、タブレット型の端末装置（パーソナルコンピュータ）を適用しても構わない。タブレット型の端末装置は、ＰＣ７１と略同等の機能を有するため、プリンタドライバのアプリケーションプログラムを読み出して実行して、印刷対象の画像等を示す印刷ジョブを生成し、この印刷ジョブを無線ＬＡＮ５７を通じて画像形成装置２１へと送信し、画像形成装置２１により印刷対象の画像を記録用紙に印刷させることができる。あるいは、タブレット型の端末装置は、空気清浄装置１のドライバのアプリケーションプログラムを読み出して実行し、該端末装置の操作により空気清浄装置１の動作状態が入力指示されると、この入力指示に応答して装置本体２の動作状態を示す制御信号を生成し、この制御信号を無線ＬＡＮ５７を通じて空気清浄装置１の装置本体２に送信して、装置本体２の動作状態を設定することができる。
【００９８】
また、ＰＣ７１又はタブレット型の端末装置の操作に応答して空気清浄装置１の装置本体２を制御しているが、ＰＣ７１又はタブレット型の端末装置の動作状態に連動して空気清浄装置１の装置本体２を制御しても構わない。例えば、ＰＣ７１又はタブレット型の端末装置が停止状態のときには空気清浄装置１の装置本体２を停止状態に設定し、ＰＣ７１又はタブレット型の端末装置が起動されると装置本体２を起動するようにしても構わない。
【００９９】
また、ＰＣ７１又はタブレット型の端末装置と空気清浄装置１の装置本体２とが一対一の関係でなくても構わない。例えば、複数のＰＣ７１又はタブレット型の端末装置により無線ＬＡＮ５７を通じて１つの空気清浄装置１の装置本体２を制御したり、１つのＰＣ７１又はタブレット型の端末装置により無線ＬＡＮ５７を通じて複数の空気清浄装置１の装置本体２を制御したりしてもよい。
【０１００】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１０１】
１  空気清浄装置
２、２Ａ  装置本体
３  脚部
４  基台
５  支柱
１１  筐体
１２  シロッコファン
１３  ダクト
１３ｆ、１３ｇ  空気流路
１４  第１ルーバー
１５  第２ルーバー
１６  イオン発生器（イオン発生部）
１７  フィルター
１８  モータ
２１  画像形成装置（画像処理装置）
５１、６１、７３  制御部
５２、７４  記憶装置
５３  画像処理部
５４、６２、７５  無線通信部
７６  表示装置
５５、７７  入力操作部（操作部）
５７  無線ＬＡＮ
７１  パーソナルコンピュータ（画像処理装置）
Ｓｙ、ＳｙＡ  画像処理システム
【図１】
2015194625.tif 000003
【図２】
2015194625.tif 000004
【図３】
2015194625.tif 000005
【図４】
2015194625.tif 000006
【図５】
2015194625.tif 000007
【図６】
2015194625.tif 000008
【図７】
2015194625.tif 000009
【図８】
2015194625.tif 000010
【図９】
2015194625.tif 000011
【図１０】
2015194625.tif 000012